(57)【要約】【課題】利用者の利便性を向上させることのできる電子機器を提供する。【解決手段】本発明のスマートフォンは、第２筐体の操作部が第１筐体により覆われる第１状態で、且つ、第１筐体のメインディスプレイ１０３に、上記受信手段によって受信した電子メールの内容を表示しているときに、筐体状態検知部３０１によって、第２筐体の操作部が露出している第２状態が検出されると、上記メインディスプレイ１０３に、利用者に次の動作を促すために確認または選択すべき内容を記した確認選択情報画面を表示情報として生成する表示情報生成部３００と、表示情報生成部３００によって生成された表示情報をメインディスプレイ１０３に表示させるメインディスプレイ表示制御部２０９とを備えている。【選択図】図１
2012244195.tif 000002
【特許請求の範囲】
【請求項１】
電子メールを受信する受信手段と、
受信した電子メールの内容を表示する表示部と、
情報入力のための操作部と、
上記操作部を覆うカバーとを備え、
上記操作部が上記カバーに覆われる第１状態と、上記操作部が上記カバーに覆われず露出される第２状態とをとる電子機器であって、
上記第１状態と第２状態とのいずれの状態であるかを検出する状態検出手段と、
上記第１状態で、且つ、上記表示部に受信した電子メールの内容を表示しているときに、上記状態検出手段によって、上記第２状態が検出されると、上記表示部に、利用者に次の動作を促すために確認または選択すべき内容を記した確認選択情報画面を表示するための表示情報を生成する表示情報生成手段とを備えていることを特徴としている電子機器。
【請求項２】
電子メールを受信する受信手段と、
上面に表示部が形成された第１筐体と、
上面に操作部が形成された第２筐体とを備え、
上記第１筐体と第２筐体とが、当該第１筐体の下面と第２筐体の上面とが対向するように配置され、少なくとも一方の筐体が他方の筐体に対してスライドすることにより、第２筐体の操作部が第１筐体により覆われる第１状態と、第２筐体の操作部が露出される第２状態とをとる電子機器であって、
上記第１状態と第２状態とのいずれの状態であるかを検出する状態検出手段と、
上記第１状態で、且つ、上記第１筐体の表示部に、上記受信手段によって受信した電子メールの内容を表示しているときに、上記状態検出手段によって、上記第２状態が検出されると、上記表示部に、利用者に次の動作を促すために確認または選択すべき内容を記した確認選択情報画面を表示するための表示情報を生成する表示情報生成手段とを備えていることを特徴としている電子機器。
【請求項３】
上記確認選択情報画面は、受信した電子メールに対して返信すべき宛先のメールアドレスを確認するための宛先確認画面であることを特徴とする請求項１または２に記載の電子機器。
【請求項４】
上記確認選択情報画面は、受信した電子メールに対して直ぐに返信するか否かを確認するためのメール返信確認画面であることを特徴とする請求項１または２に記載の電子機器。
【請求項５】
上記確認選択情報画面は、受信した電子メールに対して行える情報発信系のアプリケーションを選択するためのアプリケーション選択画面であることを特徴とする請求項１または２に記載の電子機器。
【請求項６】
電子メールを受信する受信手段と、受信した電子メールの内容を表示する表示部と、情報入力のための操作部と、上記操作部を覆うカバーとを備え、上記操作部が上記カバーに覆われる第１状態と、上記操作部が上記カバーに覆われず露出される第２状態とをとる電子機器における表示制御方法であって、
上記第１状態で、且つ、上記表示部に受信した電子メールの内容を表示しているときに、第２状態を検出すると、上記表示部に、利用者に次の動作を促すために確認または選択すべき内容を記した確認選択情報画面を表示させることを特徴としている表示制御方法。
【請求項７】
電子メールを受信する受信手段と、上面に表示部が形成された第１筐体と、上面に操作部が形成された第２筐体とを備え、上記第１筐体と第２筐体とが、当該第１筐体の下面と第２筐体の上面とが対向するように配置され、少なくとも一方の筐体が他方の筐体に対してスライドすることにより、第２筐体の操作部が第１筐体により覆われる第１状態と、第２筐体の操作部が露出される第２状態とをとる電子機器における表示制御方法であって、
上記第１状態で、且つ、上記第１筐体の表示部に、上記受信手段によって受信した電子メールの内容を表示しているときに、第２状態が検出されると、上記表示部に、利用者に次の動作を促すために確認または選択すべき内容を記した確認選択情報画面を表示させることを特徴とする表示制御方法。
【発明の詳細な説明】
【技術分野】
【０００１】
本発明は、携帯電話等の電子メールの送受信機能を有する電子機器、表示制御方法に関する。
【背景技術】
【０００２】
電子メールの送受信機能を有する電子機器として、携帯電話がよく知られている。
【０００３】
例えば、特許文献１には、受信した電子メールの内容を表示する表示部と、利用者が操作しないときにケーシングにより覆われた操作部とを備え、上記表示部に受信した電子メールの内容を表示させた状態で、上記操作部を露出させるためにケーシングを開放させたときに、当該表示部に返信メール作成画面を表示する携帯電話機が開示されている。
【０００４】
上記携帯電話機によれば、利用者は、表示部に受信メールの内容を表示させた状態で、操作部を露出させるためにケーシングを開放させるだけで、当該表示部に返信メール作成画面を表示させることができるので、直ぐに返信メールの作成を行うことができる。
【先行技術文献】
【特許文献】
【０００５】
【特許文献１】特許第３５６１７０９号公報（２００４年６月４日登録）
【発明の概要】
【発明が解決しようとする課題】
【０００６】
ところで、携帯電話機、スマートフォン等の携帯端末において受信する電子メールには、利用者にとって直ぐに返信しなければならないメール、直ぐに返信しなくてもよいメール、返信をしなくてもよいメール（メールマガジン、勧誘メール等）のように様々な種類の電子メールがある。
【０００７】
しかしながら、特許文献１に開示された携帯電話機のように、表示部に受信メールの内容を表示させている状態で、操作部を露出させるためのケーシングの開放動作に連動して、当該表示部に返信メール作成画面が表示されてしまうと、返信しなくてもよい電子メールに対して誤って返信してしまう虞がある。
【０００８】
また、近年、携帯端末の多機能化に伴って、電子メールの送受信以外に、様々な種類のアプリケーションが実行可能になり、その中には、操作部を利用して情報を入力するものもある。つまり、多機能化された携帯端末では、電子メールを受信した後、直ぐに返信するのではなく、他のアプリケーションを実行して、操作部を使用する場合も想定される。
【０００９】
しかしながら、特許文献１に開示された携帯電話機のように、表示部に受信メールの内容を表示させた状態で、操作部を露出させるためのケーシングの開放動作に連動して、当該表示部に返信メール作成画面が表示されてしまうと、他のアプリケーションを実行する場合、一々、返信メール作成画面を閉じなければならないという問題が生じる。
【００１０】
このように、特許文献１に開示された携帯電話機では、表示部に受信メールの内容を表示した状態で、ケーシングを開放して操作部を露出した場合、利用者の意思に関係なく、常に、当該受信メールに対する返信メール作成画面が表示部に表示されるので、利用者にとっての利便性が低いという問題が生じる。
【００１１】
本発明は、上記の各問題点に鑑みなされたものであって、その目的は、表示部に受信メールの内容を表示した状態で、操作部が露出されたときに、次に行う動作の選択を、利用者自身の判断により行わせるための内容を当該表示部に表示させることで、利用者の利便性を向上させることのできる電子機器を提供することにある。
【課題を解決するための手段】
【００１２】
本発明の電子機器は、上記の課題を解決するために、電子メールを受信する受信手段と、受信した電子メールの内容を表示する表示部と、情報入力のための操作部と、上記操作部を覆うカバーとを備え、上記操作部が上記カバーに覆われる第１状態と、上記操作部が上記カバーに覆われず露出される第２状態とをとる電子機器であって、上記第１状態と第２状態とのいずれの状態であるかを検出する状態検出手段と、上記第１状態で、且つ、上記表示部に受信した電子メールの内容を表示しているときに、上記状態検出手段によって、第２状態が検出されると、上記表示部に、利用者に次の動作を促すために確認または選択すべき内容を記した確認選択情報画面を表示するための表示情報を生成する表示情報生成手段とを備えていることを特徴としている。
【００１３】
上記の構成によれば、操作部が上記カバーに覆われる第１状態で、且つ、表示部に受信した電子メールの内容を表示しているときに、上記状態検出手段によって、第２状態が検出されると、上記表示部に、利用者に次の動作を促すために確認または選択すべき内容を記した確認選択情報画面が表示されることで、利用者は、表示部に表示された確認選択情報画面（後述する「宛先確認画面」、「メール返信確認画面」、「アクション選択画面」のいずれか）から、所望のアプリケーション（返信メールアプリケーションを含む）を選択して実行させて、直ぐに情報発信（文字入力）できる。
【００１４】
これにより、操作部が上記カバーに覆われる第１状態で、且つ、表示部に受信した電子メールの内容を表示しているときに、上記状態検出手段によって、第２状態が検出されると、直ぐに返信メール作成画面を表示する場合のように、返信する必要のない電子メールに対して誤って返信してしまうことを回避すると共に、次に、他のアプリケーションを実行する場合、一々、返信メール作成画面を閉じるという作業を行う必要がなくなり、結果として、利用者の利便性を向上させることができるという効果を奏する。
【００１５】
本発明の電子機器は、上記の課題を解決するために、電子メールを受信する受信手段と、上面に表示部が形成された第１筐体と、上面に操作部が形成された第２筐体とを備え、上記第１筐体と第２筐体とが、当該第１筐体の下面と第２筐体の上面とが対向するように配置され、少なくとも一方の筐体が他方の筐体に対してスライドすることにより、第２筐体の操作部が第１筐体により覆われる第１状態と、第２筐体の操作部が露出される第２状態とをとる電子機器であって、上記第１状態と第２状態とのいずれの状態であるかを検出する状態検出手段と、上記第１状態で、且つ、上記第１筐体の表示部に、上記受信手段によって受信した電子メールの内容を表示しているときに、上記状態検出手段によって、第２状態が検出されると、上記表示部に、利用者に次の動作を促すために確認または選択すべき内容を記した確認選択情報画面を表示するための表示情報を生成する表示情報生成手段とを備えていることを特徴としている。
【００１６】
上記の構成によれば、第２筐体の操作部が第１筐体により覆われる第１状態で、且つ、上記第１筐体の表示部に、上記受信手段によって受信した電子メールの内容を表示しているときに、上記状態検出手段によって、第２状態が検出されると、上記表示部に、利用者に次の動作を促すために確認または選択すべき内容を記した確認選択情報画面が表示されることで、利用者は、表示部に表示された確認選択情報画面（後述する「宛先確認画面」、「メール返信確認画面」、「アクション選択画面」のいずれか）から、所望のアプリケーション（返信メールアプリケーションを含む）を選択して実行させて、直ぐに情報発信（文字入力）できる。
【００１７】
これにより、第２筐体の操作部が第１筐体により覆われる第１状態で、且つ、上記第１筐体の表示部に、上記受信手段によって受信した電子メールの内容を表示しているときに、上記状態検出手段によって、第２状態が検出されると、直ぐに返信メール作成画面を表示する場合のように、返信する必要のない電子メールに対して誤って返信してしまうことを回避すると共に、次に、他のアプリケーションを実行する場合、一々、返信メール作成画面を閉じるという作業を行う必要がなくなり、結果として、利用者の利便性を向上させることができるという効果を奏する。
【００１８】
上記確認選択情報画面は、受信した電子メールに対して返信・転送すべき宛先のメールアドレスを確認するための宛先確認画面であることを特徴としている。
【００１９】
この場合、宛先確認画面を表示させることで、利用者は、電子メールの返信だけでなく、宛先を自分で選択して、必要な人にのみ転送を行うことができる。
【００２０】
つまり、宛先確認画面で返信先を決定した場合は、返信先のメールアドレスを宛先に反映した状態でメール作成画面に遷移することになる。
【００２１】
ここで、上記宛先確認画面は、受信した電子メールのヘッダ部分に含まれるすべてのメールアドレスの一覧表示画面であってもよい。
【００２２】
また、上記宛先確認画面では、受信した電子メールのヘッダ部分に含まれるすべてのメールアドレスの確認・編集ができるようにしてもよい。
【００２３】
さらに、上記宛先確認画面でのメールアドレス編集では、受信した電子メールのヘッダ部分に含まれていない別のメールアドレスも設定できるようにしてもよい。
【００２４】
また、上記別のメールアドレスは、電子機器本体の利用者情報を参照して表示してもよいし、直接入力してもよい。
【００２５】
上記確認選択情報画面は、受信した電子メールに対して直ぐに返信するか否かを確認するためのメール返信確認画面であることを特徴としている。
【００２６】
この場合、メール返信確認画面を表示させることで、直ぐにメール返信をするかどうかを利用者に確認させるようになっているので、返信する必要のない電子メールに対して誤って返信してしまうことを回避することができる。
【００２７】
例えば、メール返信確認画面ですぐにメール返信をすると選択した場合は、全返信先のメールアドレスを宛先に入力した状態でメール作成画面に遷移すればよい。
【００２８】
また、メール返信確認画面ですぐにメール返信をしないと選択した場合は、待受画面に遷移するようにすればよい。
【００２９】
上記確認選択情報画面は、受信した電子メールに対して行える情報発信系のアプリケーションを選択するためのアクション選択画面であることを特徴としている。
【００３０】
この場合、アクション選択画面を表示させることで、利用者は、所望のアクションを実行するのに必要なアプリケーション（返信メールアプリケーションを含む）を選択して実行させて、直ぐに情報発信（文字入力）できる。
【００３１】
つまり、アクション選択画面において、所望のアクションを実行するのに必要な情報発信系のアプリケーションを選択した場合は、選択したアプリケーションを起動させ、当該アプリケーションの初期画面に遷移するようにすればよい。
【００３２】
ここで、アクション選択画面は、受信したメールに対して行えるアクションを実行するための情報発信系のアプリケーションを選択肢として表示してもよい。
【００３３】
また、表示させる情報発信系のアプリケーションは事前に設定してもよい。
【００３４】
さらに、第２状態を検出したときに実行する情報発信系のアプリケーションを事前に設定しておいた場合、アプリケーションの選択肢を表示させずに、設定したアプリケーションの初期画面を表示するようにすればよい。
【００３５】
また、情報発信系のアプリケーションは受信した電子メールのヘッダ部分に含まれる情報に応じて内容が変わってもよい。例えば、ヘッダ部分に含まれる情報がテキストのみ、テキスト＋装飾情報、テキスト＋添付などに応じて、選択できる情報発信系のアプリケーションの内容を変えてもよい。
【００３６】
また、アクション選択画面において、上記アプリケーションの選択肢は、よく使う項目が選択されやすいよう、順番や項目アイコンや文字の大きさ、色が変化してもよい。
【発明の効果】
【００３７】
本発明の電子機器は、電子メールを受信する受信手段と、受信した電子メールの内容を表示する表示部と、情報入力のための操作部と、上記操作部を覆うカバーとを備え、上記第２筐体の操作部が上記カバーに覆われる第１状態と、上記第２筐体の操作部が上記カバーに覆われず露出される第２状態とをとる電子機器であって、上記第１状態と第２状態とのいずれの状態であるかを検出する状態検出手段と、上記第１状態で、且つ、上記第１筐体の表示部に受信した電子メールの内容を表示しているときに、上記状態検出手段によって、第２状態が検出されると、上記表示部に、利用者に次の動作を促すために確認または選択すべき内容を記した確認選択情報画面を表示させる表示制御手段とを備えていることで、表示部に受信メールの内容を表示した状態で、操作部が露出されたときに、次に行う動作の選択を、利用者自身の判断により行わせるための内容を当該表示部に表示させることで、利用者の利便性を向上させることができるという効果を奏する。
【図面の簡単な説明】
【００３８】
【図１】本発明の実施の形態に係る表示情報生成部の概略構成ブロック図である。
【図２】図１に示す表示情報生成部を備えたスマートフォンの概略構成図であり、（ａ）は操作部が格納された状態を示し、（ｂ）は操作部が露出した状態を示す図である。
【図３】図２に示すスマートフォンの概略ブロック図である。
【図４】（ａ）〜（ｃ）は、図２に示すスマートフォンにおけるスライド連携機能を説明するための図である。
【図５】第１のスライド連携機能を説明するための図であり、（ａ）は受信メールの内容を表示している状態を示し、（ｂ）は宛先確認画面を表示している状態を示す図である。
【図６】図５に示す第１のスライド連携機能を実行するための処理の流れを示すフローチャートである。
【図７】第２のスライド連携機能を説明するための図であり、（ａ）は受信メールの内容を表示している状態を示し、（ｂ）はメール返信確認画面を表示している状態を示す図である。
【図８】図７に示す第２のスライド連携機能を実行するための処理の流れを示すフローチャートである。
【図９】第３のスライド連携機能を説明するための図であり、（ａ）は受信メールの内容を表示している状態を示し、（ｂ）はアクション選択画面（アプリケーション選択画面）を表示している状態を示す図である。
【図１０】図９に示す第３のスライド連携機能を実行するための処理の流れを示すフローチャートである。
【発明を実施するための形態】
【００３９】
本発明の一実施の形態について説明すれば、以下の通りである。
【００４０】
なお、本実施の形態では、本発明の電子機器としてスマートフォンを例に説明する。なお、本実施の形態にかかるスマートフォンでは、少なくとも電子メールの送受信機能を有し、さらに、様々なアプリケーションを実行することができるものとする。
【００４１】
＜スマートフォンの外観＞
図２（ａ）（ｂ）は、本実施の形態にかかるスマートフォン１００の外観を示す。
【００４２】
上記スマートフォン１００は、図２（ａ）（ｂ）に示すように、第１筐体１０１と第２筐体１０２とが矢印方向にスライド可能に設けられている。すなわち、第１筐体１０１の下面と第２筐体１０２の上面１０２ａとが対向するように配置され、一方の筐体（例えば第１筐体１０１）が他方の筐体（例えば第２筐体１０２）に対してスライドするようになっている。
【００４３】
上記第１筐体１０１は、上面１０１ａにメインディスプレイ（表示部）１０３が形成されている。上記メインディスプレイ１０３は、液晶表示パネル、有機ＥＬパネル等からなり、電子メールの待受画面、電子メールの内容等の各種情報を表示するようになっている。ここで、メインディスプレイ１０３に表示するための表示情報は、後述する表示情報生成部（表示情報生成手段）３００（図１）によって生成される。
【００４４】
上記メインディスプレイ１０３は、表示画面上にタッチパネルを搭載しており、利用者は、タッチ操作により各種の入力を行うようになっている。
【００４５】
上記第２筐体１０２は、上面１０２ａに１０４が形成されている。上記操作部１０４は、情報入力するためのものであって、一般的な携帯電話機におけるテンキーと同じ配列のキーが設けられている。しかしながら、操作部１０４におけるキーは、上記テンキー以外のキーであってもよい、例えば、パソコンなどのキーボードと同じ配列のキーであってもよい。
【００４６】
従って、本スマートフォン１００では、第１筐体１０１のメインディスプレイ１０３上に設けられたタッチパネルを操作することにより情報の入力が行える他、第２筐体１０２に設けられた操作部１０４を操作することによっても情報の入力が行えるようになっている。これにより、タッチパネルのみを搭載するスマートフォンに比べて、利用者の好みに応じた入力操作が行える。
【００４７】
上記第１筐体１０１と第２筐体１０２とは、当該第１筐体１０１の下面（図示せず）と、当該第２筐体１０２の上面１０２ａとが対向するように重ね合わされて、図２（ａ）（ｂ）に示す矢印方向に、相対的にスライドするように設けられている。なお、第２筐体１０２には、下面側に上記メインディスプレイ１０３とは異なるサブディスプレイ１０５（図３）が形成されている。
【００４８】
図２（ａ）は、第２筐体１０２が第１筐体１０１に完全に覆われた状態（以下、第１状態と称する）を示している。この第１状態では、少なくとも第２筐体１０２の上面１０２ａに形成された操作部１０４が第１筐体１０１によって完全に覆われていればよいので、第２筐体１０２の操作部１０４以外の部分が第１筐体１０１に重なり合う必要はない。
【００４９】
図２（ｂ）は、第１筐体１０１と第２筐体１０２とが相対的にスライドして、当該第２筐体１０２の上面１０２ａに形成された操作部１０４が完全に露出している状態（以下、第２状態と称する）を示している。この第２状態では、少なくとも第２筐体１０２の上面１０２ａに形成された操作部１０４が完全に露出していればよいので、第２筐体１０２の操作部１０４以外の部分の露出の程度は特に限定しない。
【００５０】
以上のことから、本実施の形態にかかるスマートフォン１００は、利用者の操作によって、少なくとも図２（ａ）に示す第１状態と、図２（ｂ）に示す第２状態との何れかの状態で使用されることになる。また、スマートフォン１００では、第１筐体１０１と第２筐体１０２とがスライド移動したことを検知するスライドセンサ２２５（図３）から検知信号によって、第１状態であるのか、第２状態であるのかが後述する筐体状態検知部（状態検出手段）３０１によって特定される。
【００５１】
なお、本実施の形態にかかるスマートフォン１００では、図２（ａ）（ｂ）に示すように、第１筐体１０１と第２筐体１０２とが長手方向に相対的にスライド移動する例を示しているが、これに限定されるものではなく、第１筐体１０１と第２筐体１０２とが短手方向に相対的にスライド移動するような構成であってもよい。
【００５２】
＜スマートフォン１００の全体説明＞
図３は、上記スマートフォン１００の概略構成ブロック図を示す。
【００５３】
すなわち、上記スマートフォン１００は、図３に示すように、メイン制御部（メイン＋サブプロセッサ）２０１を中心として、通信制御部２０２、キー操作部２０３、キー状態感知部２０４、ＬＥＤ等表示部２０５、センサ制御部２０６、ＧＰＳ制御部２０７、カメラ制御部２０８、メインディスプレイ表示制御部２０９、メインディスプレイ操作部２１０、サブディスプレイ表示制御部２１１、音制御部２１２、電源制御部２１３、外部接続制御部２１４、内臓メモリ２１５、ＳＩＭカード制御部２１６を有している。
【００５４】
上記通信制御部２０２には、無線通信を行う無線部２１７と、有線通信を行う有線部２１８が接続されている。
【００５５】
上記無線部２１７は、様々な無線通信方式により、外部機器等とデータの送受信を行うようになっている。ここで、無線通信方式として、ＷｉＦｉ、キャリア網、Ｂｌｕｅｔｏｏｔｈ，Ｉｒ，ＧＰＳ、ＲＦリーダー、ＰＨＳなどを挙げることができる。
【００５６】
一方、上記有線部２１８は、様々な有線通信方式により、外部機器等とデータの送受信を行うようになっている。ここで、有線通信方式として、光通信、ＬＡＮ，電話回線、Ｉｒなどを挙げることができる。
【００５７】
上記無線部２１７、有線部２１８におけるデータの送受信制御は、上記通信制御部２０２によって行われ、受信したデータは、メイン制御部２０１に送られる。本実施の形態のスマートフォン１００では、少なくとも電子メールの送受信を行う機能（電子メールを受信する電子メール受信手段、電子メールを送信する電子メール送信手段）を実現する必要がある。この電子メールの送受信を行う機能は、上記無線部２１７、有線部２１８、通信制御部２０２によって実現される。つまり、電子メールの送受信は、無線通信であっても、有線通信であってもよい。
【００５８】
上記キー操作部２０３は、図２（ｂ）に示す第２筐体１０２の操作部１０４に設けられたキー、スマートフォン１００本体に搭載された各種キー（電源ボタン、音量調整ボタン、ホームキー等）の操作を受け付けて、受け付けたキーに対応付けられた情報をメイン制御部２０１に送るようになっている。
【００５９】
上記キー状態感知部２０４は、スマートフォン１００に設けられた操作部１０４を含む各キーがロックされている否かを感知するようになっている。スマートフォン１００では、意図しないキー入力が行われることを防止するために、キー操作を受け付けないロック状態に設定することが可能である。つまり、キー状態感知部２０４は、キー操作の受け付けがロックされている状態を感知するようになっている。この感知した結果は、メイン制御部２０１に送るようになっている。
【００６０】
上記ＬＥＤ等表示部２０５は、電子メールの着信や、電話の着信を知らせるために使用される。
【００６１】
上記センサ制御部２０６は、スマートフォン１００に設けられた各種センサを制御する制御部である。図３では、各種センサの一つとして、第１筐体１０１と第２筐体１０２とがスライドしたことを検知するスライドセンサ２２５がセンサ制御部２０６に接続された例を示している。スライドセンサ２２５によって検出された検出信号（第１筐体１０１と第２筐体１０２とがスライドしたことを検出した信号）は、センサ制御部２０６を介して、メイン制御部２０１に送られる。このメイン制御部２０１には、後述するがメインディスプレイ１０３に表示する情報を生成するた表示情報生成部３００が設けられている。この表示情報生成部３００では、スライドセンサ２２５からの検出信号に応じて、表示情報を生成するようになっている。この表示情報生成部３００の詳細については後述する。
【００６２】
上記ＧＰＳ制御部２０７は、図示しないＧＰＳ受信機から取得したＧＰＳデータをメイン制御部２０１に送るようになっている。
【００６３】
上記カメラ制御部２０８は、図示しないカメラによって撮影された撮影データをメイン制御部２０１に送るようになっている。
【００６４】
上記メインディスプレイ表示制御部２０９は、メイン制御部２０１から送られる表示情報に応じた画像をメインディスプレイ１０３に表示させるようになっている。また、現時点でメインディスプレイ１０３に表示している表示情報を表示内容確認用データとして、メイン制御部２０１に送るようになっている。この表示内容確認用データは、メイン制御部２０１内の表示情報生成部３００において表示情報を作成するのに使用される。
【００６５】
上記メインディスプレイ操作部２１０は、メインディスプレイ１０３に搭載されたタッチパネルから入力操作を受け付け、受け付けた入力操作に対応付けられた情報をメイン制御部２０１に送るようになっている。
【００６６】
上記サブディスプレイ表示制御部２１１は、第２筐体１０２の操作部１０４の形成面とは反対側の面である下面に形成されたサブディスプレイ１０５の表示制御を行っている。このサブディスプレイ１０５は、通常、スマートフォン１００が第１の状態（図２（ａ）に示す状態）のときに、時計表示や電子メール着信などの簡単な情報を表示するディスプレイであり、液晶パネル、有機ＥＬパネル等のパネルを使用することが可能である。
【００６７】
上記音制御部２１２は、マイク２１９、スピーカ２２０が接続され、それぞれを制御するようになっている。
【００６８】
上記電源制御部２１３は、スマートフォン１００の電源としての電池２２１に接続されており、電池残量などをモニタリングして、モニタ結果をメイン制御部２０１に送るようになっている。これにより、電池残量をメイン制御部２０１経由で、例えばメインディスプレイ１０３に表示させることが可能となる。
【００６９】
上記外部接続制御部２１４は、２つのコネクタと、外部メモリ２２４とが接続されている。２つのコネクタのうち、一つは、ｍｉｃｒｏＵＳＢ接続用のコネクタ２２２であり、残りの一つは、ＨＤＭＩ接続用のコネクタ２２３である。
【００７０】
上記内臓メモリ２１５は、プログラムメモリ、ユーザメモリ、アドレス帳、端末設定メモリから構成されている。
【００７１】
上記プログラムメモリには、スマートフォン１００において実行可能なアプリケーションデータ、条件設定情報、履歴情報、位置情報が格納されている。
【００７２】
また、上記内臓メモリ２１５の端末設定メモリには、上述した表示情報生成部３００において生成するための画面情報が記憶されている。この画面情報の詳細については後述する。
【００７３】
上記ＳＩＭカード制御部２１６は、ＳＩＭカード（図示せず）がスマートフォン１００内の所定位置に挿入されているか否かを検知して、挿入されている場合には、ＳＩＭカードに記載された情報（利用者の携帯電話番号や契約者情報等）を読み取り、メイン制御部２０１に送り、内臓メモリ２１５のユーザメモリに記憶される。
【００７４】
上記構成のスマートフォン１００は、上述したように、第１筐体１０１と第２筐体１０２とを相対的にスライドさせることで、図２（ａ）に示す第１状態と、図２（ｂ）に示す第２状態とに切り替わるようになっている。この切り替わりのタイミングを利用して、第１筐体１０１のメインディスプレイ１０３に表示されている内容を切り替えている。つまり、本スマートフォン１００では、第１筐体１０１と第２筐体１０２のスライドに連携して、別の機能を実現できるように構成されている。以下にスライド連携機能について説明する。
【００７５】
＜スライド連携機能＞
図４（ａ）〜（ｃ）は、上記構成のスマートフォン１００におけるスライド連携機能を説明するための図である。
【００７６】
ここで、図４（ａ）に示す第１状態で、第１筐体１０１のメインディスプレイ１０３に受信した電子メールの内容を表示しているときに、第１筐体１０１と第２筐体１０２とをスライドさせて、図４（ｂ）に示す第２状態にすれば、当該第１筐体１０１のメインディスプレイ１０３には、返信メール作成画面以外の画面、すなわち、利用者に次の動作を促すために確認または選択すべき内容を記した確認選択情報画面が表示される。
【００７７】
ここで、図４（ａ）に示す第１状態では、スマートフォン１００の第１筐体１０１のメインディスプレイ１０３に受信メールが表示されている。なお、ここでは、受信メールの本文表示だけでなく、電子メールの件名、差出人、添付有無、添付内容（メールオープン前に表示されるラッピングなど）を表示せてもよいし、また、受信メールを表示するときに、個別設定音／バイブを表示または鳴動させるようにしてもよい。これらの表示設定、音設定は利用者が任意設定可能である。
【００７８】
また、図４（ｂ）では、確認選択情報画面として、コミュニケーション系のアプリケーションの一覧を表示した画面を示している。そして、図４（ｃ）は、選択したアプリケーションを実行した場合にメインディスプレイ１０３に表示される画面を示している。
【００７９】
このようなスマートフォン１００におけるスライド連携機能は、図１に示す表示情報生成部３００によって実現できる。
【００８０】
＜表示情報生成部３００＞
上記表示情報生成部３００は、筐体状態検知部（状態検出手段）３０１、表示内容検知部３０２、画面情報取得部３０３、表示情報出力部３０４を含んでいる。
【００８１】
上記筐体状態検知部３０１は、センサ制御部２０６からの信号によって、第１筐体１０１と第２筐体１０２とが重なり合って、当該第２筐体１０２の操作部１０４が第１筐体１０１により覆われた第１状態であるか、第１筐体１０１と第２筐体１０２とがスライドして、第２筐体１０２の操作部１０４が露出した第２状態であるかを検知するようになっている。この検知した結果を示す検知信号は、後段の画面情報取得部３０３に送られる。
【００８２】
上記表示内容検知部３０２は、メインディスプレイ表示制御部２０９からの信号によって、第１筐体１０１のメインディスプレイ１０３に表示されている内容、すなわち表示内容を検知するようになっている。ここで、表示内容検知部３０２は、少なくとも、メインディスプレイ１０３に表示されているのが受信した電子メールの内容であるか否かを検知するようになっている。この検知した結果を示す検知信号は、後段の画面情報取得部３０３に送られる。
【００８３】
上記画面情報取得部３０３は、筐体状態検知部３０１からの検知信号と、表示内容検知部３０２からの検知信号とに基づいて、メインディスプレイ１０３に表示すべき画面情報を内臓メモリ２１５から取得するようになっている。ここで、画面情報取得部３０３は、筐体状態検知部３０１からの検知信号が第２状態を示す検知信号であり、表示内容検知部３０２からの検知信号が受信した電子メールの内容を表示していることを示す検知信号である場合には、内臓メモリ２１５から、利用者に次の動作を促すために確認または選択すべき内容を記した確認選択情報画面を表示させるための画面情報を取得する。この画面情報は、後段の表示情報出力部３０４に送られる。
【００８４】
上記表示情報出力部３０４は、受け取った画面情報から、確認選択情報画面を表示するための表示情報を生成し、メインディスプレイ表示制御部２０９に出力するようになっている。
【００８５】
上記メインディスプレイ表示制御部２０９は、受け取った表示情報から、確認選択情報画面を上記メインディスプレイ１０３に表示させる。
【００８６】
上記の確認選択情報画面としては、少なくとも宛先確認画面、メール返信確認画面、アクション選択画面の何れかが用いられる。どの画面を使用するかは、利用者が予め設定しておいてもよいし、受信した電子メールの宛先（予め登録した宛先）に応じて、上記の３種類の画面の何れかをその都度選択するようにしてもよい。
【００８７】
以下に、スライド連携により宛先確認画面を表示させる第１のスライド連携機能、スライド連携によりメール返信確認画面を表示させる第２のスライド連携機能、スライド連携によりアクション選択画面を表示させる第３のスライド連携機能の詳細について説明する。
【００８８】
このように、第１筐体１０１と第２筐体１０２とを重ね合わせて第１の状態（以下の説明では、「文字入力部を閉じた状態」と称する）で受信メールを閲覧中に、第１筐体１０１と第２筐体１０２とをスライドさせて第２の状態（以下の説明では、「文字入力部を開いた状態」と称する）にすると、第１筐体１０１のメインディスプレイ１０３に宛先確認画面、メール返信確認画面、アクション選択画面のいずれかが表示されるので、利用者はすぐに情報発信（文字入力）できる。
【００８９】
＜第１のスライド連携機能＞
はじめに、第１のスライド連携機能において、メインディスプレイ１０３に宛先確認画面を表示させる例について説明する。
【００９０】
上記宛先確認画面は、第１状態で、且つ、受信した電子メールを閲覧中に、第１筐体１０１と第２筐体１０２とがスライドして操作部１０４が露出した第２状態が検出されたときに表示される画面であり、受信したメールヘッダに含まれるすべてのメールアドレスを確認できる画面のことである。
【００９１】
ここで、上記宛先確認画面で電子メールを送りたい宛先を選択すると、選択内容を引数で渡した形でコンポーザが起動する。コンポーザでクリアキー押下した場合は、メール保存確認画面が表示された後、メーラーは終了する。
【００９２】
このように、宛先確認画面を表示することにより、宛先返信相手を事前に確認/選択できるため、必要な相手のみへ返信することが可能になる。
【００９３】
また、返信先選択した後は、選択した宛先を入れた状態でコンポーザが起動するため、利用者の操作も猥雑でなく、利便性は損なわない。
【００９４】
以下に具体的な例について説明する。
【００９５】
図５（ａ）は受信メールの内容を表示している状態を示し、図５（ｂ）は宛先確認画面を表示している状態を示している。
【００９６】
すなわち、図５（ａ）に示すように、上述した第１状態で、且つ、第１筐体１０１のメインディスプレイ１０３に受信メールの内容を表示している状態（文字入力部を閉じた状態で受信メールを閲覧している状態）で、第１筐体１０１と第２筐体１０２とをスライドさせて、図５（ｂ）に示すように、第２筐体１０２の操作部１０４を露出させて文字入力部を開いた状態（上述した第２状態）にすると、第１筐体１０１のメインディスプレイ１０３では、受信メールの内容の表示画面から、確認選択情報画面としての宛先確認画面に切り替わる。
【００９７】
ここで、宛先確認画面は、受信したメールヘッダに含まれるすべてのメールアドレスが一覧表示の状態で起動する。
【００９８】
上記宛先確認画面では、受信したメールヘッダに含まれるすべてのメールアドレスの確認・編集ができる。
【００９９】
また、上記宛先確認画面でのメールアドレス編集では、受信したメールヘッダに含まれていない別のアドレスも設定できる。
【０１００】
さらに、上記別のアドレスは、端末（スマートフォン１００）の利用者情報（アドレス帳）を参照して表示してもよいし、直接入力してもよい。
【０１０１】
上記の処理を具体的に説明すると以下のようになる。
【０１０２】
図６は、第１のスライド連携機能を実行するための処理の流れを示している。
【０１０３】
まず、文字入力部が閉じた状態で受信メール閲覧時に文字入力部を開く（ステップＳ１１）。
【０１０４】
すると、第１筐体１０１のメインディスプレイ１０３は、「宛先確認画面」を表示する（ステップＳ１２）。
【０１０５】
次に、宛先確認画面を表示させた状態で、利用者は、宛先の確認・編集作業を行う（ステップＳ１３）。
【０１０６】
そして、利用者は、宛先の確認・編集作業を終えて、宛先が決まったら、図示しない「決定」ボタンを押下する（ステップＳ１４）。
【０１０７】
続いて、ステップＳ１４で決定された宛先を反映してメール作成画面が起動する（ステップＳ１５）。
【０１０８】
そして、利用者は、メール作成画面により返信メールを作成する（ステップＳ１６）。
【０１０９】
次に、利用者は、返信メールの作成が完了した後、メール送信を行い、メール送信を完了させる（ステップＳ１７）。完了動作は、文字入力部を閉じる動作に連動させてもよい。
【０１１０】
最後に、文字入力部が閉じた状態になれば、再び第１筐体１０１のメインディスプレイ１０３の画面はメール作成画面から待受画面に遷移する（ステップＳ１８）。
【０１１１】
上記第１のスライド連携機能では、宛先確認画面を表示させることで、利用者は、電子メールの返信だけでなく、宛先を自分で選択して、必要な人にのみ転送を行うことができる。
【０１１２】
しかも、宛先確認画面で返信先を決定した場合は、返信先のメールアドレスを宛先に反映した状態でメール作成画面に遷移することになるので、返信メールの誤送を招くことなく、確実に返信または転送することができる。
【０１１３】
＜第２のスライド連携機能＞
次に、第２のスライド連携機能において、メインディスプレイ１０３にメール返信確認画面を表示させる例について説明する。
【０１１４】
上記メール返信確認画面とは、第１状態で、且つ、受信した電子メールを閲覧中に、第１筐体１０１と第２筐体１０２とがスライドして操作部１０４が露出した第２状態が検出されたときに表示される画面であり、「すぐにメールに返信しますか？（ＹＥＳ／ＮＯ）」を聞いてくる確認画面のことである。
【０１１５】
上記メール返信確認画面で「ＹＥＳ」とした場合は全宛先を挿入した状態でコンポーザへ連携、「ＮＯ」とした場合は待受画面へ遷移する。
【０１１６】
このように、メール返信確認画面を表示することにより、当該画面で「ＮＯ」選択によりすぐに別操作を開始することができる。
【０１１７】
また、相手や場合によってはすぐにメール返信したいこともあることを考えると、元から返信機能をＯＦＦにしておくより利便性は高まるという効果も奏する。
【０１１８】
以下に具体的な例について説明する。
【０１１９】
図７（ａ）は受信メールの内容を表示している状態を示し、図７（ｂ）はメール返信確認画面を表示している状態を示している。
【０１２０】
すなわち、図７（ａ）に示すように、上述した第１状態で、且つ、第１筐体１０１のメインディスプレイ１０３に受信メールの内容を表示している状態（文字入力部を閉じた状態で受信メールを閲覧している状態）で、第１筐体１０１と第２筐体１０２とをスライドさせて、図７（ｂ）に示すように、第２筐体１０２の操作部１０４を露出させて文字入力部を開いた状態（上述した第２状態）にすると、第１筐体１０１のメインディスプレイ１０３では、受信メールの内容の表示画面から、確認選択情報画面としてのメール返信確認画面に切り替わる。
【０１２１】
ここで、メール返信確認画面は、すぐにメール返信をするかどうか利用者に選択させる確認画面を表示した状態で起動する。
【０１２２】
上記の処理を具体的に説明すると以下のようになる。
【０１２３】
図８は、第２のスライド連携機能を実行するための処理の流れを示している。
【０１２４】
まず、文字入力部が閉じた状態で受信メール閲覧時に文字入力部を開く（ステップＳ２１）。
【０１２５】
すると、第１筐体１０１のメインディスプレイ１０３は、「メール返信確認画面」を表示する（ステップＳ２２）。
【０１２６】
次に、メール返信確認画面を表示させた状態で、利用者がすぐにメールを返信するか否かを判断する（ステップＳ２３）。ここで、直ぐに返信しないことが判断された場合、ステップＳ２７に移行して、メインディスプレイ１０３の画面を待受画面に遷移させる。なお、直ぐに返信しないことの判断は、利用者により文字入力部が閉じられたことにより行われている。つまり、第１筐体１０１と第２筐体１０２とを重ねた第１の状態に戻ったことを検知して、直ぐに返信をしないと判断し、メインディスプレイ１０３の画面を待受画面に遷移させている。
【０１２７】
一方、ステップＳ２３において、すぐにメール返信すると判断された場合、受信メールに記載された全宛先を反映してメール作成画面が起動する（ステップＳ２４）。
【０１２８】
そして、利用者は、メール作成画面により返信メールを作成する（ステップＳ２５）。
【０１２９】
次に、利用者は、返信メールの作成が完了した後、メール送信を行い、メール送信を完了させる（ステップＳ２６）。完了動作は、文字入力部を閉じる動作に連動させてもよい。
【０１３０】
最後に、文字入力部が閉じた状態になれば、再び第１筐体１０１のメインディスプレイ１０３の画面はメール作成画面から待受画面に遷移する（ステップＳ２７）。
【０１３１】
上記の第２のスライド連携機能によれば、メール返信確認画面を表示させることで、直ぐにメール返信をするかどうかを利用者に確認させるようになっているので、返信する必要のない電子メールに対して誤って返信してしまうことを回避することができる。
【０１３２】
なお、メール作成画面が起動する際に定型文やシグネチャ（署名）を追記しても良い。
【０１３３】
また、事前の設定により上記ステップＳ２４のメール作成画面が起動する際に定型文の一覧を表示させて利用者により選択させても良い。
【０１３４】
さらに、メール返信を行う際に、受信した電子メールの本文を引用するようにしてもよい。この場合、ステップＳ２２において表示する、「メール返信確認画面」において、確認項目として、「本文引用して返信する」、「本文引用しないで返信する」、「返信しない」を表示するようにすればよい。そして、ステップＳ２３における分岐が３つに増える。ここで、ステップＳ２４において、起動するメール作成画面が本文引用しないで返信するためのメール作成画面であれば、３つ目の分岐では、起動するメール作成画面が本文を引用して返信するためのメール作成画面とすればよい。いずれの場合も、ステップＳ２５においてメール本文を作成することになる。
【０１３５】
＜第３のスライド連携機能＞
最後に、第３のスライド連携機能において、メインディスプレイ１０３にアクション選択画面を表示させる例について説明する。
【０１３６】
上記アクション選択画面は、第１状態で、且つ、受信した電子メールを閲覧中に、第１筐体１０１と第２筐体１０２とがスライドして操作部１０４が露出した第２状態が検出されたときに表示される画面であり、受信メールに対して行えるアクションを選択させる画面のことである。
【０１３７】
アクション選択画面は、受信メールの内容（テキストのみ、テキスト＋装飾情報、テキスト＋添付など）によって表示内容が変わっても良い。
【０１３８】
また、アクション選択画面のうち、よく使う項目（アプリケーション）が選択されやすいよう変化しても良い。
【０１３９】
ここで、選択肢となるアプリケーションとしては、例えばＥメール、Ｃメール（ＳＭＳ）、ＰＣメール、Ｇメール、電話、メディアプレーヤー、コンテンツマネージャー、登録（電話帳、壁紙など）、Ｐｉｃａｓａ、ｍｉｘｉ、Ｂｌｕｅｔｏｏｔｈ、ＩｒＳＳ、赤外線送信、Ｔｗｉｔｔｅｒ、ＹｏｕＴｕｂｅ、カメラ、ビデオカメラ、詳細情報、などを挙げることができる。
【０１４０】
上記アクション選択画面を表示することにより、様々なアクションに利用者をアフォードするとともに、情報共有や添付再生などへの利用者の操作を簡単にし、より操作性を高められるという効果を奏する。つまり、アクション選択画面を表示することにより、様々なアクションがあるということを瞬時に利用者に分からせ、複雑に考えることなく直感的にアクションを選択させることで、情報共有や添付再生などへの利用者の操作を簡単にし、より操作性を高められるという効果を奏する。
【０１４１】
以下に具体的な例について説明する。
【０１４２】
図９（ａ）は受信メールの内容を表示している状態を示し、図９（ｂ）はアクション選択画面を表示している状態を示している。
【０１４３】
すなわち、図９（ａ）に示すように、上述した第１状態で、且つ、第１筐体１０１のメインディスプレイ１０３に受信メールの内容を表示している状態（文字入力部を閉じた状態で受信メールを閲覧している状態）で、第１筐体１０１と第２筐体１０２とをスライドさせて、図９（ｂ）に示すように、第２筐体１０２の操作部１０４を露出させて文字入力部を開いた状態にすると、第１筐体１０１のメインディスプレイ１０３では、受信メールの内容の表示画面から、確認選択情報画面としてのアクション選択画面に切り替わる。
【０１４４】
ここで、アクション選択画面は、受信したメールに対して行えるアクションを実行するための情報発信系のアプリケーションを選択肢として表示した状態で起動する。
【０１４５】
なお、表示させる情報発信系のアプリケーションは事前に設定してもよい。
【０１４６】
また、情報発信系のアプリケーションを事前に設定しておいた場合、アクション選択画面起動を行わず、確認選択情報画面として、設定したアプリケーションの初期画面を表示するようにしてもよい。
【０１４７】
さらに、情報発信系のアプリケーションは、受信した電子メールのヘッダ部分に含まれる情報（例えば、テキストのみ、テキスト＋装飾情報、テキスト＋添付など）に応じて内容が変わってもよい。
【０１４８】
この場合、添付ファイルを再生するアプリケーションを選択肢のひとつとして表示することで、利用者におけるメリットを高めることができる。
【０１４９】
また、アクション実行のためのアプリケーションの選択肢は、よく使う項目が選択されやすいよう、順番や項目アイコンや文字の大きさ、色が変化してもよい。
【０１５０】
上記の処理を具体的に説明すると以下のようになる。
【０１５１】
図１０は、第３のスライド連携機能を実行するための処理の流れを示している。
【０１５２】
まず、文字入力部が閉じた状態で受信メール閲覧時に文字入力部を開く（ステップＳ３１）。
【０１５３】
すると、第１筐体１０１のメインディスプレイ１０３は、「アクション選択画面」を表示する（ステップＳ３２）。
【０１５４】
次に、利用者は、アクション選択画面から情報発信系アプリの何れかを選択する（ステップＳ３３）。ここで、利用者は、文字入力部を利用して所望するアプリを選択するようにしてもよい。
【０１５５】
次に、利用者は、選択したアプリを実行することを決定したら、図示しない「決定」ボタンを押下する（ステップＳ３４）。
【０１５６】
続いて、ステップＳ３４で決定されたアプリを起動する（ステップＳ３５）。
【０１５７】
次に、アプリが起動すると、選択したアプリの文字入力画面に遷移する（ステップＳ３６）。
【０１５８】
そして、利用者は、必要な文字の入力を行う（ステップＳ３７）。
【０１５９】
文字入力が完了したら、利用者は、情報の発信を完了させる（ステップＳ３８）。
【０１６０】
最後に、文字入力部が閉じた状態になれば、再び第１筐体１０１のメインディスプレイ１０３の画面は起動したアプリ画面からメール画面に遷移する（ステップＳ３９）。ここで、メール画面には、受信メール一件表示される。
【０１６１】
この場合、アクション選択画面を表示させることで、利用者は、所望のアクションを実行するのに必要なアプリケーション（返信メールアプリケーションを含む）を選択して実行させて、直ぐに情報発信（文字入力）できる。
【０１６２】
＜効果＞
ところで、図２（ａ）（ｂ）に示すような第１筐体１０１と第２筐体１０２とがスライド可能なスマートフォン１００の場合、スマートフォン１００を持ち替えた際に、第１筐体１０１と第２筐体１０２がスライドしたり、鞄の中に入れている時に衝撃を受けたりして、利用者の意図でなく第２筐体１０２の操作部１０４が露出した状態となることがあり、誤動作に繋がる恐れがある。
【０１６３】
しかしながら、本実施の形態にかかるスマートフォン１００では、利用者の意図でなく第２筐体１０２の操作部１０４が露出した状態となっても、第１筐体１０１に表示されるのは確認選択情報画面であるので、メールの返信やアプリの起動など、利用者が意図しない誤動作を招くことはない。
【０１６４】
つまり、受信メールを閲覧中に、誤って第２筐体１０２の操作部１０４が露出するよな事態となっても、メール返信確認画面「すぐにメールに返信しますか？（ＹＥＳ／ＮＯ）」を表示させることでメールの誤送信を防ぐことができる。
【０１６５】
また、メール返信確認画面で「ＮＯ」を選択すると、メーラーを起動することなく待受画面に遷移するので、メーラーの起動停止を行う必要がない。
【０１６６】
また、メール返信以外の目的で第１筐体１０１と第２筐体１０２とがスライドして、操作部１０４が露出した状態となった場合、すぐに別操作を行うことができて便利な上、端末処理にも負担をかけずに済む。
【０１６７】
さらに、受信メールに対し、「すぐに」返信したい時もあれば、「後から」返信したい場合があるので、上記のように、メール返信確認画面を挟むことで、利用者が次の動作を選択することができる。
【０１６８】
また、誰からのメールかによって、返信する／しない場合がある。例えば、友達には返信する、メールマガジンは読むだけなので、返信しない。従って、メール返信確認画面を挟むことで、利用者が次の動作を選択することができる。
【０１６９】
ここで、メールマガジンは大抵、送信専用アドレスから送られるので、利用者が予め『常に返信しない』宛先の設定をしておけると、より利用者に対するメリットが高まるという効果をそうする。
【０１７０】
さらに、メールの内容によって、返信する／しない場合がある。例えば、返信不要なメールの場合等には、返信しない。
【０１７１】
このような場合であっても、メール返信確認画面を挟むことで、利用者が次の動作を選択することができるので、不要な返信を行うことがない。
【０１７２】
通常、スマートフォン１００には、キーからの入力を受け付けないキーロック状態にすることができる。このキーロック状態では、本実施の形態におけるスライド連携機能は無効とする。つまり、キーロック状態中に、スマートフォン１００に何らかの衝撃が加わり、第１筐体１０１と第２筐体１０２とがスライドしてしまった場合に、表示部であるメインディスプレイ１０３に突然、確認選択情報画面の表示は行われない。
【０１７３】
また、アクション選択画面を挟むことで、メール以外の方法で「すぐに」アクションができる。例えば、受信メールに、Ｔｗｉｔｔｅｒで即応する等が考えられる。
【０１７４】
さらに、アクション選択画面を挟むことで、メールを「すぐ、簡単に」共有できる。例えば、メール閲覧時、傍にいた人の携帯にＵＲＬや添付画像を送って共有する場合、第１筐体１０１と第２筐体１０２とがスライドして第２状態となれば、「赤外線送受信」等の通信方式を選択し、すぐに送ることができる。
【０１７５】
なお、本実施の形態に係るスマートフォン１００では、第１筐体１０１と第２筐体１０２とがスライド可能に設けられ、第２筐体１０２側に操作部１０４が形成された例について説明したが、これに限定されるものではなく、例えば、第１筐体１０１に操作部が形成され、この操作部を覆うカバーが設けられ、カバーの開閉により上述したスライド連携機能と同様の機能を実現するようにしてもよい。
【０１７６】
また、本発明は、本実施の形態で説明したスマートフォン１００に適用されることに限定されず、電子メール受信機能を含む様々なアプリケーションが実行可能な携帯電話、タブレット端末、モバイルＰＣ等の電子機器に適用可能である。
【０１７７】
本発明は上述した実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７８】
本発明は、電子メール受信機能を含む様々なアプリケーションが実行可能な電子機器に利用することができる。
【符号の説明】
【０１７９】
１００  スマートフォン（電子機器）
１０１  第１筐体
１０１ａ  上面
１０２  第２筐体
１０２ａ  上面
１０３  メインディスプレイ（表示部）
１０４  操作部
１０５  サブディスプレイ
２０１  メイン制御部
２０２  通信制御部
２０３  キー操作部
２０４  キー状態感知部
２０５  ＬＥＤ等表示部
２０６  センサ制御部
２０７  ＧＰＳ制御部
２０８  カメラ制御部
２０９  メインディスプレイ表示制御部
２１０  メインディスプレイ操作部
２１１  サブディスプレイ表示制御部
２１２  音制御部
２１３  電源制御部
２１４  外部接続制御部
２１５  内臓メモリ
２１６  ＳＩＭカード制御部
２１７  無線部
２１８  有線部
２１９  マイク
２２０  スピーカ
２２１  電池
２２２  コネクタ
２２３  コネクタ
２２４  外部メモリ
２２５  スライドセンサ
３００  表示情報生成部（表示情報生成手段）
３０１  筐体状態検知部（状態検出手段）
３０２  表示内容検知部
３０３  画面情報取得部
３０４  表示情報出力部
【図１】
2012244195.tif 000003
【図２】
2012244195.tif 000004
【図３】
2012244195.tif 000005
【図４】
2012244195.tif 000006
【図５】
2012244195.tif 000007
【図６】
2012244195.tif 000008
【図７】
2012244195.tif 000009
【図８】
2012244195.tif 000010
【図９】
2012244195.tif 000011
【図１０】
2012244195.tif 000012